(57)【要約】【課題】クッションとして使用できしかも、しかもそのクッションを用いて足や腕の筋肉や背骨などのストレッチが行えるエクササイズクッションを提供する。【解決手段】円弧状に形成された一対のコアボード１１、１１が屈曲自在に係合されたコア本体１０と、コアボート１１、１１同士を屈曲させたときにその力に抗するように設けられた弾性部材１２と、各コアボード１１を収納する一対のクッション袋１３と、コアボード１１と共にクッション袋１３に挿入されるインナークッション１４と、コアボード１１とインナークッション１４とをクッション袋１３内に挿入した後、そのクッション袋１３を覆うクッションカバー１５とを備えたものである。【選択図】図１
0003183997.tif 000002
【実用新案登録請求の範囲】
【請求項１】
円弧状に形成された一対のコアボードが屈曲自在に係合されたコア本体と、コアボート同士を屈曲させたときにその力に抗するように設けられた弾性部材と、各コアボードを収納する一対のクッション袋と、コアボードと共にクッション袋に挿入されるインナークッションと、コアボードとインナークッションとをクッション袋内に挿入した後、そのクッション袋を覆うクッションカバーとを備えたことを特徴とするエクササイズクッション。
【請求項２】
前記コアボートは、半割長円形状に、かつ複数のリブで井桁状に形成されたセンタコア部と、そのセンタコア部の表面を覆うと共に、センタコア部の円周部の両側から斜め外側に延びたフラップが形成されたベースプレートとからなる請求項１記載のエクササイズクッション。
【請求項３】
前記センタコア部の接合面部には、他方センタコア部の接合面部と係合する突起部とその突起部に係合する係合溝が設けられ、突起部と係合溝が、コアボード同士を屈曲させたときの支点となる請求項２記載のエクササイズクッション。
【請求項４】
前記弾性部材は、コアボートのセンタコア部に設けた弾性支持片間に並行に一対設けられる請求項２記載のエクササイズクッション。
【請求項５】
前記コアボード同士は、そのコアボード同士が過度に開くのを防止するための織りベルトからなる開き防止具で連結される請求項１記載のエクササイズクッション。
【請求項６】
前記開き防止具は、無端状に形成された織りベルトと、前記コアボートに形成され、織りベルトのループ部をコアボードの表面に露出させるためのベルト挿通穴と、そのベルト挿通穴に挿通され、前記コアボードの表面に露出した織りベルトの両端のループ部に挿入されて織りベルトを前記コアボードに連結する固定ロッドとで構成される請求項５記載のエクササイズクッション。
【考案の詳細な説明】
【技術分野】
【０００１】
本考案は、背当て等のクッションでありながら、股関節内転運動など太腿のエクササイズや腕のエクササイズなどが行えるエクササイズクッションに関するものである。
【背景技術】
【０００２】
従来、エキスパンダーなど腕の筋肉を強化させたり、足の筋肉などを強化するトレーニングマシーンや運動補助具は、種々のものが開発され、販売されている。
【０００３】
例えば特許文献１では、二本のアームをＶ字状に連結し、このアームを両手で締め付けることで、エキスパンダーと反対に腕による締め付け力の筋肉を鍛えたり、特許文献２のように二つのくさび状の弾性体を股に挟んで筋肉を鍛える運動器具が提案されている。
【先行技術文献】
【特許文献】
【０００４】
【特許文献１】特開２００７−２７５６０１号公報
【特許文献２】特開２０１３−２２４４７号公報
【考案の概要】
【考案が解決しようとする課題】
【０００５】
しかしながら、従来のトレーニングマシーンは、エクササイズをしないときには、不要であり、収納品の対象となってしまう問題がある。
【０００６】
そこで、本考案の目的は、上記課題を解決し、クッションとして使用でき、しかもそのクッションを用いて足や腕の筋肉や背骨などのストレッチが行えるエクササイズクッションを提供することにある。
【課題を解決するための手段】
【０００７】
上記目的を達成するために本考案は、円弧状に形成された一対のコアボードが屈曲自在に係合されたコア本体と、コアボート同士を屈曲させたときにその力に抗するように設けられた弾性部材と、各コアボードを収納する一対のクッション袋と、コアボードと共にクッション袋に挿入されるインナークッションと、コアボードとインナークッションとをクッション袋内に挿入した後、そのクッション袋を覆うクッションカバーとを備えたことを特徴とするエクササイズクッションである。
【０００８】
前記コアボートは、半割長円形状に、かつ複数のリブで井桁状に形成されたセンタコア部と、そのセンタコア部の表面を覆うと共に、センタコア部の円周部の両側から斜め外側に延びたフラップが形成されたベースプレートとからなるのが好ましい。
【０００９】
センタコア部の接合面部には、他方センタコアの接合面部と係合する突起部とその突起部に係合する係合溝が設けられ、突起部と係合溝が、コアボード同士を屈曲させたときの支点となるのが好ましい。
【００１０】
前記弾性部材は、コアボートのセンタコア部に設けた弾性支持片間に並行に一対設けられるのが好ましい。
【００１１】
前記コアボード同士は、そのコアボード同士が過度に開くのを防止するための織りベルトからなる開き防止具で連結されるのが好ましい。
【００１２】
前記開き防止具は、無端状に形成された織りベルトと、前記コアボートに形成され、織りベルトのループ部をコアボードの表面に露出させるためのベルト挿通穴と、そのベルト挿通穴に挿通され、前記コアボードの表面に露出した織りベルトの両端のループ部に挿入されて織りベルトを前記コアボードに連結する固定ロッドとで構成されるのが好ましい。
【考案の効果】
【００１３】
本考案は、弾性部材を介して屈曲自在に設けた一対のコアボードをクッション材で覆うとともにこれをクッションカバーで覆うことで、エクササイズマシーンでありながら通常のクッションとして使用できるため、常時ソファーに置いた状態にしてエクササイズができるという優れた効果を発揮する。
【図面の簡単な説明】
【００１４】
【図１】本考案のエクササイズクッションの分解組み立て斜視図である。
【図２】本考案のコアボートの詳細指図である。
【図３】本考案のエクササイズクッションの斜視図である。
【図４】本考案のエクササイズクッションの各種使用状態を示す図である。
【考案を実施するための形態】
【００１５】
以下、本考案の好適な一実施の形態を添付図面に基づいて詳述する。
【００１６】
本考案のエクササイズクッションＥＣは、図１、図２に示すように円弧状に形成された一対のコアボード１１、１１が屈曲自在に係合されたコア本体１０と、コアボート１１、１１の弾性支持片１１ａ、１１ａ間に並行に装着される筒状の弾性部材１２、１２と、コアボード１１、１１を収納する一対のクッション袋１３、１３と、コアボード１１、１１が挿入されたクッション袋１３、１３内に挿入されてクッション性を高めるウレタンフォームからなるインナークッション１４、１４と、コアボード１１、１１とインナークッション１４、１４とをクッション袋１３、１３内に挿入した後、そのクッション袋１３、１３を覆うクッションカバー１５（図３）とから構成される。
【００１７】
コアボード１１は、ポリプロピレンなど剛性のあるプラスチックで形成され、半割長円形状に、かつ複数のリブ１９で井桁状に形成されたセンタコア部１６と、そのセンタコア部１６の表面（図１では裏面）を覆うと共に、センタコア部１６の円周部１７の両側から斜め外側に延びたフラップ１８、１８が形成されたベースプレート２０とで構成される。
【００１８】
図２は、１つのコアボード１１を示しているが、他方のコアボード１１も同じ形状であり、コアボード１１を互いに向かい合わせることで、コア本体１０となる。このコアボード１１のセンタコア部１６の接合面部２１には、他方のベースプレート２０の接合面部２１と係合する突起部２２とその突起部２２に係合する係合溝２３が、それぞれ接合面部２１に設けられ、この突起部２２と係合溝２３とをそれぞれ係合させて接合面部２１、２１を突き合わせることで、突起部２２と係合溝２３が、コアボード１１、１１同士を屈曲させる支点となる。
【００１９】
センタコア部１６には、弾性支持片１１ａ、１１ａが一体に起立して設けられ、その弾性支持片１１ａ、１１ａには、筒状の弾性部材１２、１２をネジ２４、２４で保持するための長穴２５が形成される。また弾性支持片１１ａより内側のセンタコア部１６と接合面部２１には、筒状の弾性部材１２、１２をガイドする円弧状の支持溝２６、２６が形成される。
【００２０】
コアボード１１、１１同士は、弾性部材１２、１２に圧縮荷重が加わるように、図１で見て、コアボード１１、１１同士が弾性部材１２、１２の圧縮荷重に抗するように上方に屈曲できるようにされるが、コアボード１１、１１同士が、図１で見て下方に過度に開くのを防止するために、着脱自在な開き防止具２８が設けられる。
【００２１】
この開き防止具２８は、無端状に形成された織りベルト２９と、その織りベルト２９の両端のループ部２９ｅ、２９ｅに挿入される固定ロッド３０と、センタコア部１６とベースプレート２０に形成され、織りベルト２９のループ部２９ｅをベースプレート２０の表面に露出させるためのベルト挿通穴３１とで構成される。開き防止具２８の装着は、織りベルト２９のループ部２９ｅをベルト挿通穴３１に挿入し、これをベースプレート２０の表面に露出させ、その状態で、ループ部２９ｅに固定ロッド３０を挿入することで、固定ロッド３０の両端がベースプレート２０の表面のベルト挿通穴３１を跨いで保持されることで、織りベルト２９のループ部２９ｅが、ベルト挿通穴３１から抜けなくなり、これにより、コアボード１１、１１同士が織りベルト２９により、その下方へ過度に開くのが防止される。
【００２２】
インナークッション１４は、厚さ２０〜３０ｍｍのウレタンフォームをコアボード１１のベースプレート２０の形状に合わせて形成され、これを１枚乃至３、４枚重ねて形成される。
【００２３】
クッション袋１３は、コアボード１１上にインナークッション１４を重ねた状態で、これらを収容するものでクッション性と伸縮性を有する。
【００２４】
エクササイズクッションＥＣの組み立ては、図１に示すようにコアボード１１、１１の接合面部２１を突き合わせた状態で、弾性支持片１１ａ、１１ａ間に弾性部材１２、１２をネジ２４で取り付け、さらに開き防止具２８を上述したように両コアボート１１に装着する。その後、コアボード１１、１１上にインナークッション１４を重ね、この状態でクッション袋１３に挿入する。
【００２５】
このように各コアボード１１、１１とインナークッション１４を覆うようにクッション袋１３を装着した後、図３に示したクッションカバー１５で全体を覆う。
【００２６】
この際、接合面部２１と反対側のコアボード１１には、フラップ１８、１８が形成されているため、このフラップ１８、１８が抵抗となって、クッション袋１３の装着後の抜けを防止する機能を発揮する。
【００２７】
またクッションカバー１５は、クッション袋１３、１３の合わせ目が見えなくするもので、また室内に常時置いておくクッションとしての機能から伸縮性のある生地や、起毛を施した生地などで形成される。
【００２８】
本考案のエクササイズクッションＥＣは、図３、図４に示すように平面視で略長方形状でフラップ１８により四隅が突き出た形状となり、また正面視で、円弧状に形成される。
【００２９】
このエクササイズクッションＥＣによるエクササイズは、筋肉を強化する際には、開脚状態で股間にエクササイズクッションＥＣを挟み、その状態で股を閉じて図４（ｂ）のようにコアボード１１、１１を屈曲させることで、内股筋肉のエクササイズとなる、またこのエクササイズクッションＥＣを手でもって屈曲させれば腕の筋肉の強化となる。
【００３０】
さらに、図４（ａ）の状態にしてエクササイズクッションＥＣの中央に正座したり、頭を乗せて枕状態にしたり、さらには腰を当てた状態にし、これら状態で左右に体を揺らすことで、体のバランスや腹筋等の強化のエクササイズができる。
【００３１】
また図４（ｃ）のようにエクササイズクッションＥＣの凸部を上に向け、この凸部にあわせて仰向けになれば背骨のストレッチができ、また椅子の背もたれに立てて座ることで、背骨のストレッチができる。
【００３２】
この際、コアボード１１、１１同士は織りベルト２９からなる開き防止具２８で連結されているため、エクササイズクッションＥＣに体重をかけても、その荷重を開き防止具２８が受け、過度にコアボード１１、１１の接合面部２１に荷重がかかることがない。
【００３３】
またこの本考案のエクササイズクッションＥＣは、通常使用される椅子やソファーに用いられるクッションと同じ機能があるため、椅子やソファーに常時置いておけばクッションとして使用でき、気が向いたときに上述の種々のエクササイズが気軽に、ソファーに座りながら、ＴＶを見ながら、所謂、何々しながら状態で気軽に行える。
【符号の説明】
【００３４】
１０  コア本体
１１  コアボート
１１ａ  弾性部材支持片
１２  弾性部材
１３  クッション袋
１４  インナークッション
１５  クッションカバー
【図１】
0003183997.tif 000003
【図２】
0003183997.tif 000004
【図３】
0003183997.tif 000005
【図４】
0003183997.tif 000006